(57)【要約】【課題】  従来ゴミは圧縮することなく集積していた為ゴミ袋が嵩張り場所をとるという問題があった。近年ゴミの分別収集が進みゴミ有料化へと移行するなかでゴミを圧縮し限られた容積のゴミ収納袋に効率よくゴミを圧縮し集積する必要に迫られている。【解決手段】  ゴミ箱に投入されたゴミを圧縮棒を用いて人力にて圧縮し効率よくゴミを集積するためのゴミ圧縮棒を提供することを特徴とする。【選択図】図１
2006306614.tif 000002
【特許請求の範囲】
【請求項１】
ゴミ箱Ａ内部に投入されたゴミＧを圧縮するための棒ＣであってハネＦの上部およびハネ支持部Ｅ下部に取り付けたハネＦを回転自在に支持するために金属線Ｈがハネ支持部最下端Ｊとともに横方向に貫通しハネＦが回転自在になるように設けられている。またハネ支持部Ｅの下面Ｉで停止させるためのストッパーでもある。ハネ支持部Ｅの最下端にはハネＦがゴミＧの反発力を受けたとき回転自在になる結合方法により常に外側の横上方向に向くようにハネ支持部最下端Ｊは外側を向いた形状をもちゴミＧに対しハネＦが接する面積を拡大する。非圧縮時にはハネＦの下端がハネ支持部Ｅの位置より外側に出ず下方を向く機能のついたゴミ圧縮棒。
【発明の詳細な説明】
【技術分野】
【０００１】  本発明はゴミ箱に投入されたゴミを圧縮する為の棒に関する。
【背景技術】
【０００２】  ゴミ箱に直接手を差し入れゴミを素手または手袋を装着して人力で圧縮していた。【０００３】  操作者の体重を利用してゴミ箱下部に設置されたペダルを足で踏むことにより上蓋が開きゴミ箱内部に設置された踏み板を足で踏みゴミを圧縮する技術がある。【０００４】  テコの原理を応用して押圧棒の先端部に取り付けた圧縮板をゴミ上部より手動にて押し込みゴミを圧縮する技術がある。【０００５】  ゴミ箱内に棒付押し板を入れ蓋をした状態で手動にて棒を押してゴミを圧縮し蓋部のロック機能にてゴミの反発力をとめるゴミ箱の技術がある。【０００６】
【特許文献１】  実用新案登録第３０８９３５８号
【特許文献２】  特許番号第２６６３３３４号
【特許文献３】  実用新案登録第３０８２０７１号
【発明の開示】
【発明が解決しようとする課題】
【０００７】  人の手を直接ゴミ箱に差し入れゴミを圧縮する事はマナーと衛生上の問題があった。【０００８】  人の足を直接ゴミ箱に差し入れゴミを圧縮する動作はマナーの点での問題は残っていた。【０００９】  テコの原理を利用してのゴミ圧縮装置は室内の美観上設置場所の問題は残っていた。【００１０】  ゴミ箱に蓋をした状態で人力で棒を押しゴミを圧縮するゴミ箱の技術ではその蓋を使用しない時の蓋のおき場所の問題があった。
【課題を解決するための手段】
【００１１】  ゴミ箱Ａ内部に投入されたゴミＧを圧縮するための棒ＣであってハネＦの上部及びハネ支持部Ｅ下部に取り付けたハネＦを回転自在に支持するために金属線Ｈがハネ支持部最下端Ｊとともに横方向に貫通しハネＦが回転自在になるように設けられている。またハネ支持部Ｅの下面Ｉで停止させるためのストッパーでもある。ハネ支持部Ｅの最下端にはハネＦがゴミＧの反発力を受けたとき回転自在になる結合方法により常に外側の横上方向に向くようにハネ支持部最下端Ｊは外側を向いた形状を持ちゴミＧに対しハネＦが接する面積を拡大する。非圧縮時にはハネＦの下端がハネ支持部Ｅの外径の位置より外側に出ず下方を向く機能のついたゴミ圧縮棒である。本発明はゴミ圧縮棒を使用するため直接ゴミ箱Ａ内部に手を差し入れる必要もなくマナー面衛生面とも問題は発生しない。またゴミを圧縮する目的で新規にゴミ箱を購入する必要もなく置き場所もとらない。人力でゴミを圧縮するための棒を使用することにより背景技術の課題を解決しようとするものである。
【発明の効果】
【００１２】  本発明の持ち手部分Ｄを握り人力でゴミ箱Ａ内部にたまったゴミを圧縮するため直接ゴミが手に触れることがなく衛生的である。【００１３】  ゴミＧを圧縮することにより従来と比較して場所をとらず室内の居住空間およびゴミステーションのスペースを有効に利用できる。【００１４】  地域によってはゴミ収納袋Ｂが有料化されているところもあり限られたゴミ収納袋Ｂの容積を最大限利用することが可能である。またゴミ収納袋Ｂを購入する金額も少額ですむ。【００１５】  ゴミＧを圧縮するために新規に圧縮式ゴミ箱を購入する必要がなく現在使用しているゴミ箱Ａをそのまま使用することが可能である。【００１６】  ゴミＧを圧縮する操作を終了しゴミ圧縮棒Ｃを上方に引き上げることによりハネ支持部Ｅにより回転自在に支持されたハネＦが下を向くため狭いゴミ投入口であっても容易にゴミ圧縮棒Ｃを出し入れすることが可能である。
【発明を実施するための最良の形態】
【００１７】  以下本発明の実施の形態を図１から図４に基づいて説明する。【００１８】  ゴミ箱Ａ内部にゴミ収納袋Ｂを設置しその後ゴミＧを投入する。【００１９】  ゴミ圧縮棒Ｃのハネ支持部Ｅには金属線Ｈが貫通し金属線Ｈにより横方向に連結されたハネＦが回転自在に支持されている。【００２０】  ゴミＧがゴミ箱Ａの容量上限近くに達した時点でゴミ圧縮棒Ｃを操作者の両手または片手で持ち手部分Ｄを握り下方に押し下げる。【００２１】操作者がゴミ圧縮棒Ｃの持ち手部分Ｄを握りゴミ箱Ａ内部に投入済のゴミＧに圧入しハネＦがゴミＧの上面に達しゴミＧの反発力を受け下方を向いていたハネ支持部最下端Ｊ及びハネＦ上部を金属線Ｈが横方向に貫通しハネＦが回転自在となる結合がなされている。またハネ支持部Ｅの下面ＩはハネＦがゴミＧを圧縮しているときハネ支持部下面Ｉの位置で停止させるためのストッパーでもある。ハネＦがゴミＧの反発力を受けると回転自在となる結合により常に外側の横方向に向くようにハネ支持部最下端Ｊは外側に向いた角度を持ちハネＦがゴミＧに接する面積を拡大しゴミＧを圧縮する。【００２２】  ゴミＧに対しての圧縮操作を終了した時点でゴミ圧縮棒Ｃを上方に引き上げる。ゴミＧからの反発力がなくなるに従いハネＦは回転自在の結合がなされているため重力の法則に従い金属線Ｈを中心点として下方を向く。ハネ支持部最下端Ｊは外側に向いた形状のためハネＦの下端がハネ支持部Ｅの外径の位置より外側に出ない。【００２３】  操作者が持ち手部分Ｄを握り上方にゴミ圧縮棒Ｃ及びハネＦともども引き上げることに伴いハネＦが下方を向くため狭い開口部を有するゴミ箱においても容易に引き上げることが可能である。【００２４】  操作者が片手で持ち手部分Ｄを握り下方にゴミ圧縮棒Ｃを引き上げもう片方の手でゴミ収納袋Ｂの上口を握ることにより効率よくゴミを圧縮しその後両手でゴミ収納袋Ｂの口を縛ることが可能になる。
【図面の簡単な説明】
【００２５】
【図１】本発明の一実施例を示す作用状態図である。
【図２】ハネ支持部Ｅの拡大図である。
【図３】ハネ支持部Ｅ及びハネＦをゴミＧより見た詳細図である。
【図４】ゴミ非圧縮時の状態図である。
【符号の説明】
【００２６】    Ａ      ゴミ箱
Ｂ      ゴミ収納袋
Ｃ      ゴミ圧縮棒
Ｄ      持ち手部分
Ｅ      ハネ支持部
Ｆ      ハネ
Ｇ      ゴミ
Ｈ      金属棒
Ｉ      ハネ支持部下部
Ｊ      ハネ支持部最下部
【図１】
2006306614.tif 000003
【図２】
2006306614.tif 000004
【図３】
2006306614.tif 000005
【図４】
2006306614.tif 000006